(57)【要約】【課題】アクセス可能な移動端末が制限された基地局を適正に検出可能とする。【解決手段】自局の情報が移動端末に対して広告される第１の基地局群と、自局の情報が移動端末に対して広告されない第２の基地局群とを備えた無線通信システムにおいて利用され、第１の基地局群にアクセス可能であり、且つ第２の基地局群については特定の基地局のみへのアクセスが許可された移動端末であって、位置情報を受信する受信部と、受信された位置情報が、特定の基地局に対応づけられた位置情報である場合には、第１及びび第２の基地局群についての基地局検出処理を実行し、位置情報が特定の基地局に対応づけられた位置情報でない場合には、第１の基地局群に対する基地局検出処理を実行する一方で第２の基地局群に対する基地局検出処理を規制する検出部とを含む。【選択図】図１
2011061370.tif 000002
【特許請求の範囲】
【請求項１】
自局の情報が移動端末に対して広告される第１の基地局群と、自局の情報が移動端末に対して広告されない第２の基地局群とを備えた無線通信システムにおいて利用され、
前記第１の基地局群に属する各基地局に対してアクセス可能であるとともに、前記第２の基地局群については、特定の基地局へのアクセスが許容され、前記特定の基地局以外の基地局に対するアクセスが許容されない移動端末であって、
位置情報を受信する受信部と、
受信された位置情報が、前記特定の基地局に対応づけられた位置情報である場合には、前記第１の基地局群及び第２の基地局群についての基地局検出処理を実行し、前記位置情報が前記特定の基地局に対応づけられた位置情報でない場合には、前記第１の基地局群に対する基地局検出処理を実行する一方で前記第２の基地局群に対する基地局検出処理を規制する検出部と、
を含む移動端末。
【請求項２】
前記位置情報は、現在接続中の前記第１又は第２の基地局群に属する基地局から取得される前記移動端末の位置情報を含む
請求項１に記載の移動端末。
【請求項３】
前記位置情報は、現在接続中の前記第１又は第２の基地局群に属する基地局から取得される他の基地局の位置情報を含む
請求項１に記載の移動端末。
【請求項４】
前記位置情報は、ＧＰＳ衛星から取得される前記移動端末の位置情報を含む
請求項１に記載の移動端末。
【請求項５】
自局の情報が移動端末に対して広告される第１の基地局群と、自局の情報が移動端末に対して広告されない第２の基地局群とを備えた無線通信システムにおいて利用され、前記第１の基地局群に属する各基地局へのアクセスが許容される一方、前記第２の基地局群については当該第２の基地局群に属する特定の基地局へのアクセスが許容され当該特定の基地局以外の基地局へアクセスが許容されない移動端末が、
位置情報を受信し、
受信された位置情報が、前記移動端末のアクセスが許容される前記第２の基地局群中の特定の基地局に対応する場合には、前記第１の基地局群及び前記第２の基地局群についての基地局検出処理を実行し、前記位置情報が前記特定の基地局に対応しない場合には、前記第１の基地局群についての基地局検出処理を実行する一方で前記第２の基地局群についての基地局検出処理を規制する
移動端末の基地局検出方法。
【発明の詳細な説明】
【技術分野】
【０００１】
本発明は、無線通信システムにおける移動端末に関する。
【背景技術】
【０００２】
WiMAX（Worldwide Interoperability for Microwave Access）無線アクセス網の運用においては、公衆アクセス用の基地局(“macro Base Station（マクロ基地局）”と呼ばれ
る)が設置される。これに対し、通信エリアを拡大するために、“femto Base Station(フェムト基地局)”と呼ばれる小型の基地局を配置することが考えられている。フェムト基
地局は、例えば、電波が届きにくい場所に配置される。電波の届きにくい場所とは、例えば家屋内である。以下、マクロ基地局を「公衆基地局」と称し、フェムト基地局を「局所基地局」と呼ぶこともある。
【０００３】
例えば、集合住宅内の個人家庭にフェムト基地局を配置することを考える。この場合には、個人の移動端末（Mobile Station）のみをフェムト基地局に接続（アクセス）可能とする、或いは、フェムト基地局を介した通信において個人の端末との通信が最優先されるように、移動端末とフェムト基地局とを関連づけたアクセス制御を行うことが考えられる。一方、マクロ基地局からフェムト基地局へ、或いはフェムト基地局からマクロ基地局へのハンドオーバ（ＨＯ）はシームレスに行うことが考えられる。
【０００４】
端末が通信を継続した状態で接続先の基地局を変更する手法として、WiMAXシステムは
、ハンドオーバ(HO)の仕組みを有する。ハンドオーバの具体的な手順は以下の通りである。
【０００５】
（１）移動端末は、現在通信中の基地局(Serving BS（SBS）と呼ばれる)から、定期的
に隣接ＢＳ広告メッセージ(MOB＿NBR-ADVメッセージ)を受信する。これによって、端末は、複数の隣接ＢＳに関する隣接ＢＳ情報(隣接基地局の中心周波数、Preamble Index等の
接続パラメータ、ＨＯトリガ条件)を入手することができる。
【０００６】
（２）移動端末は、ＳＢＳの電波強度の低下に伴って、予め隣接基地局の電波強度を測定(Scan)し、ハンドオーバ先となる最適な基地局を探す。
【０００７】
（３）その後、ＳＢＳの電波強度がある閾値を下回った時点で、移動端末は、ＳＢＳとのネゴシエーションを行い、ハンドオーバ先の隣接基地局の一つ(Target BS（TBS)：と呼ばれる）にハンドオーバを行う。
【０００８】
（４）ハンドオーバ（ＨＯ）は、ＴＢＳに同期して実施される。ＨＯが実施されると、Network re-entry（ネットワーク・リエントリ）と呼ばれる移動端末とＴＢＳとの接続手順が実行される。これによって、移動端末は、ＳＢＳとの接続状態を引き継いだ状態でＴＢＳと通信を継続することができる。
【先行技術文献】
【特許文献】
【０００９】
【特許文献１】特開２００８−１１８４０４号公報
【特許文献２】特開２００８−２１９６４５号公報
【発明の概要】
【発明が解決しようとする課題】
【００１０】
従来技術には、以下の問題があった。
【００１１】
＜１＞基地局から広告（ブロードキャスト）される隣接ＢＳ広告メッセージは、広告可能な隣接ＢＳ数の上限を有する。このため、例えば、或る基地局の周辺に多数のフェムトＢＳが隣接ＢＳとして存在する環境下では、基地局が全てのフェムトＢＳに対して隣接ＢＳ広告メッセージを通知できない可能性があった。すなわち、或るフェムト基地局へのアクセスが許容された移動端末が、ＳＢＳから当該フェムト基地局の隣接ＢＳ広告メッセージを受信できず、当該フェムト基地局へハンドオーバできない可能性があった。
【００１２】
＜２＞  フェムト基地局へアクセス可能な移動端末は、そのフェムト基地局と関連づけられた移動端末に限られることが多い。このため、フェムト基地局向けの隣接ＢＳ広告メッセージは、当該フェムト基地局へのアクセスが許可された移動端末のみについて有効であり、当該フェムト基地局へのアクセスが許可されていない他の移動端末については無駄となる。言い換えれば、アクセスが許可されていない移動端末に対するフェムト基地局の隣接ＢＳ広告メッセージの送信は、帯域の浪費、移動端末に搭載されたメモリ空間の浪費を招来する可能性があった。
【００１３】
＜３＞  隣接ＢＳ広告メッセージの受信によって移動端末が取得する隣接基地局情報のフォーマットは、特定の移動端末が或る条件下で特定の隣接基地局の情報を限定的に適用可能な仕様を有していない。従って、移動端末が、当該移動端末のアクセスが許可されていないフェムト基地局の電波強度をスキャンし、ＴＢＳとしてハンドオーバをトライし、拒否されるという無駄な動作が生じる可能性があった。
【００１４】
本発明の一態様は、アクセス可能な移動端末が制限された基地局を、当該基地局へのアクセスが許容された移動端末が適正に検出可能な技術を提供することを目的とする。
【課題を解決するための手段】
【００１５】
本発明の態様の一つは、自局の情報が移動端末に対して広告される第１の基地局群と、自局の情報が移動端末に対して広告されない第２の基地局群とを備えた無線通信システムにおいて利用され、
前記第１の基地局群に属する各基地局に対してアクセス可能であるとともに、前記第２の基地局群については、特定の基地局へのアクセスが許容され、前記特定の基地局以外の基地局に対するアクセスが許容されない移動端末であって、
位置情報を受信する受信部と、
受信された位置情報が、前記特定の基地局に対応づけられた位置情報である場合には、前記第１の基地局群及び第２の基地局群についての基地局検出処理を実行し、前記位置情報が前記特定の基地局に対応づけられた位置情報でない場合には、前記第１の基地局群に対する基地局検出処理を実行する一方で前記第２の基地局群に対する基地局検出処理を規制する検出部と、
を含む。
【発明の効果】
【００１６】
本発明の一態様によれば、アクセス可能な移動端末が制限された基地局を、当該基地局へのアクセスが許容された移動端末が適正に検出することができる。
【図面の簡単な説明】
【００１７】
【図１】第１実施形態の説明図である。
【図２】第２実施形態における無線通信システムの構成例を示す。
【図３】基地局の構成例を示す。
【図４】移動端末の構成例を示す。
【図５】隣接ＢＳ情報テーブル，デフォルト隣接ＢＳ情報テーブル，決定隣接ＢＳ情報テーブルの例を示す。
【図６】無線通信システムにおける動作シーケンス例を示す。
【図７】隣接ＢＳ広告メッセージ（MOB＿NBR-ADV）のフォーマット例を示す。
【図８】位置情報メッセージ（MOB＿LBS-ADV）のフォーマット例を示す
【発明を実施するための形態】
【００１８】
以下、図面を参照して本発明の実施形態を説明する。実施形態の構成は例示であり、本発明は実施形態の構成に限定されない。なお、実施形態の説明では、移動端末をMobile Station(ＭＳ)、基地局をBase Station(ＢＳ)と略して記述することもある。なお、移動端末は、移動局、無線端末、携帯端末、端末、端末装置、無線端末装置、携帯端末装置と呼ばれることがある。
【００１９】
＜第１実施形態＞
図１は、第１実施形態の説明図である。第１実施形態の無線通信システムは、自局の情報が移動端末１００に対して広告される第１の基地局群Ａと、自局の情報が移動端末に対して広告されない第２の基地局群Ｂとを備えた無線通信システムである。
【００２０】
移動端末１００は、第１の基地局群Ａに属する各基地局に対するアクセスが許容される。これに対し、移動端末１００は、第２の基地局群Ｂについては、特定の基地局Ｂ１へのアクセスが許容され、特定の基地局Ｂ１以外の基地局Ｂ２〜Ｂ５に対するアクセスが許容されない。
【００２１】
移動端末１００は、位置情報を受信する受信部１０１と、検出部１０２とを備える。
【００２２】
検出部１０２は、受信部１０１で受信された位置情報が特定の基地局Ｂ１に対応づけられた位置情報である場合には、第１の基地局群Ａ及び第２の基地局群Ｂについての基地局検出処理を実行する。これに対し、受信部１０１で受信された位置情報が特定の基地局Ｂ１に対応づけられた位置情報でない場合には、第１の基地局群Ａに対する基地局検出処理を実行する一方で第２の基地局群Ｂに対する基地局検出処理を規制する。
【００２３】
移動端末１００は、位置情報と対応付けされた第２の基地局群Ｂに属する一つ以上の基地局（ＢＳ）情報を予め有することができる。移動端末１００は、受信部１０１で取得される位置情報に応じて、第２の基地局群Ｂから検出対象の基地局を選択することができる。位置情報に対応する第２の基地局群Ｂの情報がない場合には、第２の基地局群Ｂに対する基地局検出処理を規制することができる。移動端末１００は、例えば、現在接続中の基地局から広告される隣接基地局情報に含まれる基地局、及び位置情報から選択した基地局を基地局検出処理の対象に含めることができる。
【００２４】
位置情報として、現在接続中の基地局から取得される移動端末の位置情報を適用することができる。或いは、位置情報として、現在接続中の基地局より取得される他の基地局の位置情報を適用することができる。或いは、位置情報として、ＧＰＳ（Global Positioning System）衛星から取得される移動端末の位置情報を適用することができる。
【００２５】
第１実施形態によれば、移動端末１００は、位置情報に応じて、第２の基地局群に属する基地局を基地局検出処理の対象とするか否かを制御することができる。すなわち、移動端末１００は、アクセス制限を有する基地局を位置情報に基づいて適正に検出することができる。
【００２６】
＜第２実施形態＞
図２は、第２実施形態におけるネットワーク構成例を示す図である。図２に示す無線通信システムは、WiMAXシステムであり、基地局（ＢＳ）と移動端末（ＭＳ）とはIEEE 802.16e-2005以降の仕様に基づいて通信を行うと仮定する。
【００２７】
図２において、地点Ａには、集合住宅（アパート）がある。集合住宅の近辺には、複数の公衆基地局であるマクロＢＳ（以下“ｍＢＳ”と表記）の例示として、３つのｍＢＳ、すなわち、ｍＢＳ＃０，ｍＢＳ＃１，及びｍＢＳ＃２が設置されている。
【００２８】
ｍＢＳ＃０は、ＢＳ識別子（ＢＳＩＤ)として“0x0”を有する。ｍＢＳ＃０は、中心周波数ｆ０で信号（電波）を発信する。ｍＢＳ＃０から発信される電波は、ｍＢＳ＃０が送信するフレームを識別するフレーム識別情報として、“Preamble index=a”の値を含む。
【００２９】
ｍＢＳ＃１は、ＢＳＩＤ“0x1”を有する。ｍＢＳ＃１は、中心周波数ｆ１で信号（電
波）を発信する。ｍＢＳ＃１から発信される電波は、ｍＢＳ＃１が送信するフレームを識別するフレーム識別情報として、“Preamble index=b”の値を含む。
【００３０】
ｍＢＳ＃２は、ＢＳＩＤ“0x2”を有する。ｍＢＳ＃２は、中心周波数ｆ２で信号（電
波）を発信する。ｍＢＳ＃２から発信される電波は、ｍＢＳ＃２が送信するフレームを識別するフレーム識別情報として、“Preamble index=c”の値を含む。
【００３１】
集合住宅内には、複数の局所基地局であるフェムト基地局（以下、“ｆＢＳ”と表記）の例示として、ｆＢＳ＃１及びｆＢＳ＃２が図示されている。ｆＢＳ＃１は、ＢＳＩＤ“0x10001”を有する。ｆＢＳ＃１は、中心周波数ｆ３で信号（電波）を発信する。ｆＢＳ
＃１から発信される電波は、ｆＢＳ＃１が送信するフレームを識別するフレーム識別情報として“Preamble index=d”の値を含む。ｆＢＳ＃２は、ＢＳＩＤ“0x10002”を有する
。ｆＢＳ＃２は、中心周波数ｆ４で信号（電波）を発信する。ｆＢＳ＃２から発信される電波は、ｆＢＳ＃２が送信するフレームを識別するフレーム識別情報として“Preamble index=e”の値を含む。
【００３２】
移動端末（ＭＳ）１は、WiMAX網を用いた無線通信が可能な端末装置であり、ｍＢＳの
カバーエリア（電波エリアとも呼ばれる）においては、ｍＢＳと接続を行い、通信を行うことができる。ｆＢＳのカバーエリアにおいては、移動端末１がｆＢＳに対するアクセスが許容されている、すなわちｆＢＳの利用が許可されている場合にのみ、ｆＢＳと接続を行い、通信を行うことができる。
【００３３】
従って、移動端末１がｍＢＳのカバーエリア間で移動する場合には、ｍＢＳ間のハンドオーバを通じて通信を継続することができる。また、移動端末１が使用可能なｆＢＳのカバーエリアからｍＢＳのカバーエリアへ移動する場合には、ｆＢＳとｍＢＳとの間のハンドオーバを通じて通信を継続することができる。これに対し、ｍＢＳのカバーエリアから、移動端末１の利用が許可されていないｆＢＳのカバーエリアへ移動端末１が移動する場合には、ｍＢＳとｆＢＳとの間のハンドオーバは実施されず、移動端末１は通信を継続することができない。
【００３４】
＜基地局の構成＞
図３は、基地局（ＢＳ）の構成例を示す。図３に示す基地局１０は、図２に示したｍＢＳ、又はｆＢＳとして適用可能である。図３において、基地局１０は、エア区間送受信処理部１１と、通信制御部１２と、バックボーン送受信処理部１３と、隣接ＢＳ情報テーブル１４とを備える。また、通信制御部１２は、隣接ＢＳ情報広告処理部１５を有している。
【００３５】
エア区間送受信処理部１１は、移動端末（ＭＳ）に送信されるべき様々なメッセージを電波に変換し、移動端末へ送信する。また、エア区間送受信処理部１１は、移動端末から受信される電波からメッセージを取り出し、通信制御部１２のような、メッセージの処理を行う処理部へ渡す。
【００３６】
通信制御部１２は、基地局の上位装置であるゲートウェイ装置（ＧＷ：図示せず）と移動端末との間で制御メッセージを交換し、移動端末の通信を維持及び制御する。通信制御部１２は、エア区間送受信処理部１１にメッセージを送信する。或いは、通信制御部１２は、移動端末からの制御メッセージをエア区間送受信処理部１１から受信する。また、通信制御部１２は、バックボーン送受信部を介してゲートウェイ装置と通信を行う。
【００３７】
バックボーン送受信部１３は、バックボーンネットワーク（図示せず）に接続されており、バックボーンネットワークは、上記したゲートウェイ装置（ＧＷ）や他の基地局を収容している。バックボーン送受信部１３は、基地局１０が他の基地局とバックボーンネットワークを介してメッセージを交換するための送受信処理を行う。
【００３８】
隣接ＢＳ情報テーブル１４は、基地局１０が隣接ＢＳ広告メッセージを用いて移動端末に広告する隣接基地局（“隣接ＢＳ”とも表記）の情報を隣接ＢＳ広告メッセージの版数毎に管理するテーブルである。
【００３９】
隣接ＢＳ情報広告処理部１５は、ゲートウェイ装置からの指示に従って移動端末に隣接基地局の情報を含む隣接ＢＳ広告メッセージを作成し、エア区間送受信処理部１１を介して移動端末へ送信する。第２実施形態においては、隣接ＢＳ広告メッセージには、隣接基地局情報としてｍＢＳの情報のみが含まれ、ｆＢＳの情報は含まれない。従って、ｆＢＳの情報は、隣接ＢＳ広告メッセージによって広告されない。
【００４０】
＜移動端末の構成＞
図４は、移動端末（ＭＳ）の構成例を示す。図４に示す移動端末２０は、図２に示した移動端末１として適用可能である。移動端末２０は、エア区間送受信処理部２１、通信制御部２２、 隣接ＢＳ情報受信部２３、受信部としての位置情報取得部２４、検出部とし
ての検出対象決定部２５、及び初期設定部２６を備える。
【００４１】
また、移動端末２０は、隣接ＢＳ情報テーブル２７、デフォルト隣接ＢＳ情報テーブル２８、決定隣接ＢＳ情報テーブル２９を備える。また、移動端末２０は、初期設定部２６と接続されたコンソール３１と、位置情報取得部２４に接続されたＧＰＳ受信機３２とを備える。
【００４２】
エア区間送受信処理部２１は、接続が指定された基地局、或いは決定隣接ＢＳ情報テーブル２９等でスキャンが決定された基地局からのフレームに同期し、フレームの送信及び受信を行う。
【００４３】
通信制御部２２は、基地局と制御メッセージを交換し、基地局との通信を維持及び制御する。通信制御部２２は、エア区間送受信処理部２１にメッセージを送信する。或いは、通信制御部２２は、基地局からの制御メッセージをエア区間送受信処理部２１から受信する。
【００４４】
隣接ＢＳ情報受信部２３は、基地局が送信する隣接基地局情報を含む隣接ＢＳ広告メッセージを受信し、隣接基地局情報の内容を隣接ＢＳ情報テーブル２７に登録する。
【００４５】
位置情報取得部２４は、基地局が送信する位置情報信号を受信する。或いは、位置情報
取得部２４は、移動端末２０が備えるＧＰＳ受信機３２を用いて移動端末２０の位置情報を取得することができる。
【００４６】
検出対象決定部２５は、移動端末２０が位置情報取得部２４によって取得した位置情報
に対応するｆＢＳをデフォルト隣接ＢＳ情報テーブル２８から選択し、選択したｆＢＳを隣接ＢＳ情報テーブル２７に記録（登録）された隣接基地局と共に、決定ＢＳ情報テーブル２９に登録する。
【００４７】
初期設定部２６は、表示装置及び入力装置を含むコンソール３１から入力される情報、又はネットワークからダウンロードされる情報を受け付け、デフォルト隣接ＢＳ情報テーブル２８の作成処理を行う。
【００４８】
隣接ＢＳ情報テーブル２７は、基地局から受信された隣接基地局の情報を含む広告メッセージの内容を登録するためのテーブルである。
【００４９】
デフォルト隣接ＢＳ情報テーブル２８は、位置情報に応じてマッピングされるｆＢＳの情報を登録するためのテーブルであり、初期設定部２６により作成される。
【００５０】
決定ＢＳ情報テーブル２９は、隣接ＢＳ情報テーブル２７、デフォルト情報テーブル２８に登録された基地局のうち、検出対象決定部２５により決定された最終的な検出対象である基地局を検出するために必要な情報を登録するためのテーブルである。
図５は、隣接ＢＳ情報テーブル２７、デフォルト隣接ＢＳ情報テーブル２８及び決定隣接ＢＳ情報テーブル２９のデータ構造例を示す。図５において、隣接ＢＳ情報テーブル２７は、隣接基地局毎に、ＢＳ識別子（ＢＳＩＤ），中心周波数，フレーム識別情報（プリアンブルインデックス値），ＤＣＤ（Ｄｏｗｎｌｉｎｋ Ｃｈａｎｎｅｌ Ｄｅｓｃｒｉｐｔｏｒ）情報，及びＵＣＤ（Ｕｐｌｉｎｋ Ｃｈａｎｎｅｌ Ｄｅｓｃｒｉｐｔｏｒ）情報を格納する。ＤＣＤ情報は、ダウンリングチャネルに係る情報であり、ＵＣＤはアップリンクチャネルに係る情報である。
デフォルト隣接ＢＳ情報テーブル２８は、隣接ＢＳ毎に、位置条件，ＢＳＩＤ，中心周波数，プリアンブルインデックス値，ＤＣＤ情報，及びＵＣＤ情報を格納する。さらに、決定隣接ＢＳ情報テーブル２９は、隣接ＢＳ情報テーブル２７と同様に、隣接基地局毎に、ＢＳＩＤ，中心周波数，プリアンブルインデックス値，ＤＣＤ情報，及びＵＣＤ情報を格納する。
【００５１】
＜動作例＞
以下、図２に示した移動端末１の移動に対応したシーケンス図（図６）を参照しながら本実施の形態における動作を説明する。図２に示す動作例において、移動端末１は、集合住宅の外において、ｍＢＳ＃０をＳＢＳとして通信を行っていると仮定する。その後、移動端末１が地点Ａにある集合住宅内に移動し、ｍＢＳ＃０のカバーエリアからｆＢＳ＃１のカバーエリアへ移動する場合の動作について説明する。
【００５２】
図６は、動作シーケンスを示す。図６に示すｆＢＳ＃１（図１）は、移動端末１のユーザによって管理されており、地点Ａ(東経139度39分、北緯35度27分)付近にある集合住宅
に配置されている。ｆＢＳ＃１には、ＢＳＩＤ“0x0001”、中心周波数“ｆ３”、プリアンブルインデックス値“ｄ”がキャリアによって割り当てられている。これらの情報は、例えば、ｆＢＳ＃１の設置時にキャリアによって設定される。
【００５３】
また、移動端末１のユーザは、地点Ｂ(東経137度58分、北緯36度14分)の付近に別荘を
有しており、別荘には、ユーザによって管理されるｆＢＳ＃３が配置されている。ｆＢＳ＃３は、キャリアによって割り当てられた、ＢＳＩＤ“0x0010”，中心周波数“ｆ５”，
プリアンブルインデックス値“ｋ”を有している。
【００５４】
最初に、移動端末１では、初期設定部２６（図４）によって、デフォルト隣接ＢＳ情報テーブル２８の登録処理が行われる。デフォルト隣接ＢＳ情報テーブル２８は、移動端末１のユーザが管理するｆＢＳに係る情報とｆＢＳが隣接ＢＳとして登録されるための位置条件とを関連づけたテーブルである。
【００５５】
位置条件として、ｆＢＳが配置された地点付近の位置情報がデフォルト隣接ＢＳ情報テーブル２８に登録される。例えば、ｆＢＳ＃１について、地点Ａ付近の位置情報が登録される。
【００５６】
地点Ａ付近の位置情報として、地点Ａ付近に存する移動端末１自身の位置情報を適用することができる。或いは、地点Ａ付近で移動端末１が接続しているｍＢＳから提供されるｍＢＳの位置情報を地点Ａ付近の位置情報として適用することができる。或いは、移動端末１がネットワークからダウンロード可能な地点Ａの位置情報を地点Ａ付近の位置情報として適用することができる。
【００５７】
移動端末１の位置情報が利用される場合には、例えば、移動端末１の初期設定部２６は、移動端末１が地点Ａ付近に位置する場合に、位置情報取得部２４がＧＰＳ受信機３２を用いてＧＰＳ衛星から受信した移動端末１自身の位置情報を取得し、デフォルト隣接ＢＳ情報テーブル２８に登録することができる。
【００５８】
基地局の位置情報が利用される場合には、移動端末１の初期設定部２６は、移動端末１が地点Ａ付近でｍＢＳと接続されているときに、ｍＢＳから受信されるｍＢＳの位置情報を取得し、デフォルト隣接ＢＳ情報テーブル２８に登録することができる。
【００５９】
ネットワークからダウンロードされる位置情報を利用する場合には、移動端末１の初期設定部２６は、ネットワーク上に存する位置情報を提供可能なコンピュータ又はサーバから、地点Ａ又は地点Ａ付近の位置情報をダウンロードし、デフォルト隣接ＢＳ情報テーブル２８に登録することができる。コンピュータ又はサーバは、例えば、ＯＭＡ−ＤＭ（Open Mobile Alliance - Device Management）サーバである。ＯＭＡ−ＤＭとは、Open Mobile Alliance が開発したオープンかつ相互運用可能なデバイス管理方式の標準規格であ
る。
【００６０】
また、位置条件の登録方法として、コンソール３１のマニュアル操作を通じて移動端末１に入力された位置情報を初期設定部２６がデフォルト隣接ＢＳ情報テーブル２８に登録することもできる。
【００６１】
初期設定部２６は、コンソール３１のマニュアル操作によって入力されるｆＢＳの情報をデフォルト隣接ＢＳ情報テーブル２８に登録することができる。或いは、初期設定部２６は、ネットワークからｆＢＳの情報をダウンロードしてデフォルト隣接ＢＳ情報テーブル２８に登録することができる。
【００６２】
例えば、マニュアルで位置条件及びｆＢＳ情報を登録する場合には、コンソール３１から位置条件、ＢＳＩＤ、中心周波数(Frequency)、プリアンブルインデックス値，ＤＣＤ
情報及びＵＣＤ情報が入力される。初期化設定部２６は、デフォルト隣接ＢＳ情報テーブル２８に登録する。
【００６３】
或いは、ＯＭＡ−ＤＭサーバを用いて、ネットワークから提供される位置条件及びｆＢＳ情報が自動的にデフォルト隣接ＢＳ情報テーブル２８に登録されるようにしても良い。
例えば、移動端末１の初期登録時、又は移動端末１のユーザが所有するｆＢＳが追加された場合に、初期設定部２６とＯＭＡ−ＤＭサーバとが接続され、ＯＭＡ−ＤＭサーバがデフォルト隣接ＢＳ情報テーブル２８への登録内容を移動端末１に送信し、初期設定部２６が受信された登録内容をデフォルト隣接ＢＳ情報テーブル２８に登録する。
【００６４】
図６では、ＯＭＡ−ＤＭサーバが、移動端末１に対して、ｆＢＳ＃１及びｆＢＳ＃３に関する登録内容、すなわち、ｆＢＳ＃１の情報及び位置条件、並びにｆＢＳ＃３の情報及び位置条件を移動端末１に送信し（Ｓ３１）、移動端末１の初期設定部２６が受信された登録内容をデフォルト隣接ＢＳ情報テーブル２８に登録する（Ｓ１）。
【００６５】
ここで、移動端末１は、ｍＢＳ＃０（図２）に接続され、通信を行っている。ｍＢＳ＃０は、定期的に、隣接ＢＳ情報広告処理部１５（図４）で生成される隣接ＢＳ広告メッセージの送信処理を行い（Ｓ２１）、隣接ＢＳ広告メッセージをエア区間送受信処理部１１を介してｍＢＳ＃０のカバーエリアに広告（ブロードキャスト）する。
【００６６】
これによって、ｍＢＳ＃０のカバーエリアに位置する移動端末１へ隣接ＢＳ広告メッセージが送信される(Ｓ２１Ａ)。ｍＢＳ＃０からの隣接ＢＳ広告メッセージは、隣接ＢＳ情報として、ｍＢＳ＃１及びｍＢＳ＃２の情報を含む。但し、隣接ＢＳ広告メッセージには、ｆＢＳの情報は含まれない。
【００６７】
図７は、隣接基地局を広告する隣接ＢＳ広告メッセージ(MOB＿NBR-ADVメッセージ)のフォーマットを示す。以下、IEEE802.16eにおけるMOB＿NBR-ADVメッセージのフィールドに
ついて説明する。
【００６８】
図７において、“Management Message Type”フィールドは、MOB＿NBR-ADVメッセージ
であることを示すメッセージタイプであり、IEEE802.16e-2005では0x53と定義されている。
【００６９】
“Configuration Change Count”フィールドは、基地局と移動端末とで共有される、この隣接ＢＳ広告メッセージ自体の版数である。移動端末が基地局に対して当該隣接ＢＳ広告メッセージに含まれる基地局を指定する場合には、“Configuration Change Count”及び、当該隣接ＢＳ広告メッセージ中で隣接ＢＳが記述されている順番(index)を指定する
。
【００７０】
“N＿NEIGHBORS”フィールドは、この隣接ＢＳ広告メッセージ中に含まれる隣接ＢＳの数を示す。
【００７１】
“Length”フィールドは、ＦＯＲループ内の一つの隣接ＢＳに関する情報要素のサイズの総和を示す。
【００７２】
“PHY Profile ID”フィールドは、隣接ＢＳの各種設定がＳＢＳの設定と同じであるかどうかを示すパラメータである。“PHY Profile ID”によりＳＢＳと設定内容が同一である情報については、当該隣接ＢＳ広告メッセージ中で情報を運ぶことなく、移動端末はＳＢＳのパラメータをコピーして使用する。
【００７３】
“Neighbor BSID”フィールドは、隣接ＢＳに付与されたＢＳ識別番号である。
【００７４】
“Preamble Index/Subchannel Index”フィールドは、隣接ＢＳ又はリピータが送信す
る信号のPreamble部分にＢＳを区別するために埋め込まれる識別コードを示すためのインデックスである。
【００７５】
“HO Process Optimization”フィールドは、Network Re-entry手順中の省略可能な処
理を示す。隣接ＢＳにハンドオーバする場合には、Network Re-entry手順が要求される。ＳＢＳから隣接ＢＳに移動端末との接続情報を移管することでNetwork Re-entry手順のいくつかを省略することができる。“HO Process Optimization”フィールドは、省略可能
な処理を示す情報である。移動端末は、“HO Process Optimization”に記述された情報
を基に、可能な限りRe-entry手順が短時間で終了するＢＳをハンドオーバ候補として選択することができる。
【００７６】
“DCD Configuration Change Count”フィールドは、隣接ＢＳが送信しているＤＣＤメッセージの版数を示す。NBR-ADVメッセージは、隣接ＢＳが定期的に送信しているＤＣＤ
メッセージの内容を“DCD＿setting”として含む。
【００７７】
“UCD Configuration Change Count”フィールドは、隣接ＢＳが送信しているＵＣＤメッセージの版数を示す。NBR-ADVメッセージは、隣接ＢＳが定期的に送信しているＵＣＤ
メッセージの内容を“UCD＿setting”として含む。
【００７８】
“DCD＿settings”フィールドは、次のような情報を示す。NBR-ADVメッセージは、隣接ＢＳが定期的に送信しているＤＣＤメッセージの内容を“DCD＿setting”として含む。“DCD＿setting”は、複数のＴＬＶ（Type-Length-Value）形式の情報から構成される複合
ＴＬＶ形式の情報であり、隣接ＢＳが送信しているＤＣＤメッセージ内の各種ＴＬＶが“DCD＿setting TLV”の中にまとめて格納される。なお、ＳＢＳのＤＣＤと異なるＴＬＶのみが含まれる。
【００７９】
“frequency”フィールドは、“DCD＿settings TLV”に含まれるサブＴＬＶである。隣接ＢＳの中心周波数を示す。中心周波数がＳＢＳの周波数と同じ場合は省略される場合がある。
【００８０】
“UCD＿settings”フィールドは、以下のような情報である。NBR-ADVメッセージ（隣接ＢＳ広告メッセージ）は、隣接ＢＳが定期的に送信しているＵＣＤメッセージの内容を“UCD＿setting”として含む。“UCD＿setting”は複数のＴＬＶ情報から構成される複合TLV情報であり、隣接ＢＳが送信しているＵＣＤメッセージ内の各種ＴＬＶ情報が“UCD＿setting TLV”の中にまとめて格納される。なお、ＳＢＳのＵＣＤと異なるＴＬＶ情報のみ
が含まれる。
【００８１】
なお、少なくとも“DCD Configuration Change Count”フィールド及び“DCD＿settings”フィールドの情報は、ＤＣＤ情報として隣接ＢＳ情報テーブル２７に登録される。一
方、少なくとも“UCD Configuration Change Count”フィールド及び“UCD＿settings”
フィールドの情報は、ＵＣＤ情報として隣接ＢＳ情報テーブル２７に登録される。
【００８２】
移動端末１の隣接ＢＳ情報受信部２３は、エア区間送受信処理部２１及び通信制御部２２を介して隣接ＢＳ広告メッセージ（MOB＿NBR-ADVメッセージ）を受信すると、この隣接ＢＳ広告メッセージに含まれた様々な情報を隣接ＢＳ情報テーブル２７に登録する(Ｓ２)。これによって、隣接ＢＳ情報テーブル２７には、ｍＢＳ＃０の隣接基地局であるｍＢＳ＃１に対応するエントリと、ｍＢＳ＃２に対応するエントリとが登録される。
【００８３】
また、ｍＢＳ＃０の通信制御部１４は、定期的に位置情報（位置広告）メッセージ(MOB＿LBS-ADVメッセージ)の送信処理を行い（Ｓ２２）、位置情報メッセージをｍＢＳ＃０のカバーエリアへ送信する(Ｓ２２Ａ)。位置情報メッセージは、ｍＢＳ＃０の位置情報が含まれる。図８は、MOB＿LBS-ADVメッセージのフォーマットを示す。
【００８４】
MOB＿LBS-ADVメッセージは、メッセージ種別を示す“Management Message Type”フィ
ールドと、情報要素のサイズを示す“Length”フィールドと、基地局の位置を示す“絶対位置（Absolute Position）”フィールドとを含み、“Absolute Position”フィールドは、“経度（Longitude）”フィールドと、“緯度（Latitude）”フィールドと、“標高（Altitude）”フィールドとを含む。
【００８５】
移動端末１は、エア区間送受信処理部２１で位置情報メッセージを受信する。位置情報メッセージは、通信制御部２２を介して位置情報取得部２４に与えられる。位置情報取得２４は、位置情報メッセージに含まれたｍＢＳ＃０の位置情報を検出対象決定部２５に渡す。
【００８６】
検出対象決定部２５は、デフォルト隣接ＢＳ情報テーブル２８を参照し、位置条件が合致する、すなわち、位置情報が位置条件を満たすｆＢＳ（ここではｆＢＳ＃１）があった場合には、当該ｆＢＳ＃１に係るエントリと、現在、隣接ＢＳ情報テーブルに登録されているｍＢＳ＃１のエントリ及びｍＢＳ＃２のエントリとを決定隣接ＢＳ情報テーブル２９に登録する(Ｓ３)。
【００８７】
これによって、ハンドオーバのための基地局検出処理（スキャン処理）の対象としての隣接基地局として、ｍＢＳ＃１，ｍＢＳ＃２及びｆＢＳ＃１が決定隣接ＢＳ情報テーブル２９に登録された状態となる。ここで、厳密には、ｍＢＳ＃０の位置とｆＢＳ＃１との位置は異なる。しかし、ｍＢＳ＃０の位置付近に移動端末１が位置すると、ｆＢＳ＃１がスキャン対象となるようにデフォルト隣接ＢＳ情報テーブル２９が作成（設定）される。
【００８８】
上記動作では、移動端末１はｍＢＳ＃０自身の位置情報を用いて位置条件が満たされるか否かの判定を行う例を示した。上記例の代わりに、ｆＢＳ＃１の位置情報が受信及び登録されるようにしても良い。ｍＢＳ＃０から送信される位置情報メッセージ（MOB＿LBS-ADV）は、隣接ＢＳの位置情報を記述することが可能である。このため、移動端末１は、ｆＢＳ＃１のＢＳＩＤを指定し、ｆＢＳ＃１の位置情報をｍＢＳ＃０から入手することができる。
【００８９】
この場合、ｆＢＳ＃１の位置情報が位置情報メッセージに含められることによって、ネットワーク帯域が使用される。しかし、隣接ＢＳ情報広告メッセージ(MOB＿NBR-ADV)にｆＢＳに関する基地局情報を含める場合よりも弊害を抑えることができる。或いは、位置情報として、例えばＧＰＳ受信機３２によりＧＰＳ衛星から取得される移動端末１の位置情報を用いて位置条件が満たされるか否かの判定が行われるようにしても良い。
【００９０】
移動端末１では、現在接続中のＳＢＳ、すなわちｍＢＳ＃０の電波強度が低下し、隣接ＢＳスキャン開始のトリガ条件が満されると（Ｓ４）、通信制御部２２が決定隣接ＢＳ情報テーブルに登録された隣接基地局、すなわち、ｍＢＳ＃１，ｍＢＳ＃２，及びｆＢＳ＃１をスキャン対象として決定し、これらの隣接基地局の周波数をスキャンする。
【００９１】
具体的には、移動端末１の通信制御部２２は、スキャン要求メッセージ“MOB＿SCN-REQ”を送信し（Ｓ４Ａ）、スキャン時間をＳＢＳ（ｍＢＳ＃０）に要求する。移動端末１は、ＳＢＳであるｍＢＳ＃０からスキャン応答メッセージ“MOB＿SCN-RSP”を受信し（Ｓ４Ｂ）このスキャン応答メッセージによってＳＢＳからスキャン時間が割り当てられると、プリアンブル同期までの手順が実施され、どの周波数でどの基地局に同期可能かが確認される。なお、スキャン時間中、ＳＢＳは移動端末１宛のパケット送信を停止する。
【００９２】
この例では、移動端末１は、周波数ｆ３，周波数ｆ１及び周波数ｆ２に同期し、周波数
ｆ３では、ｆＢＳ＃１のプリアンブルインデックス“ｄ”を発見し、ｆＢＳ＃１にプリアンブル同期することができる。ｆＢＳ＃１に同期すると、移動端末１は、ｆＢＳ＃１の電波強度を測定する（Ｓ５）。
【００９３】
また、移動端末１は、周波数ｆ１において、ｍＢＳ＃１のプリアンブルインデックス“ｂ”を発見し、ｍＢＳ＃１にプリアンブル同期することができる。このとき、移動端末１は、ｍＢＳ＃１の電波強度を測定する（Ｓ６）。
【００９４】
さらに、移動端末１は、周波数ｆ２において、ｍＢＳ＃２のプリアンブルインデックス“ｃ”を発見し、ｍＢＳ＃２にプリアンブル同期することができる。このとき、移動端末１は、ｍＢＳ＃２の電波強度を測定する（Ｓ７）。
【００９５】
ここで、移動端末１で測定されたｆＢＳ＃１，ｍＢＳ＃１及びｍＢＳ＃２の電波強度のうち、ｆＢＳ＃１の電波強度が最も強いと仮定する。その後、移動端末１は、ＳＢＳであるｍＢＳ＃０の電波強度が低下し、ｆＢＳ＃１の電波強度が良好となり、ハンドオーバ（ＨＯ）のトリガ条件が満たされると(Ｓ８)、ｆＢＳ＃１をターゲット基地局（ＴＢＳ）とするハンドオーバを開始する（Ｓ９）。
【００９６】
すなわち、移動端末１は、移動局ハンドオーバ要求メッセージ“MOB＿MSHO-REQ”を送
信し（Ｓ９Ａ）、ＳＢＳであるｍＢＳ＃０にハンドオーバを要求する。移動端末１は、ｍＢＳ＃０から基地局ハンドオーバ応答メッセージである“MOB＿BSHO-RSP”を受信し（Ｓ
９Ｂ）、ハンドオーバ可能の応答を受け取る。すると、移動端末１は、ハンドオーバインディケーションメッセージ“MOB＿HO-IND”を送信し（Ｓ９Ｃ）、ＴＢＳである隣接ＢＳ
、すなわちｆＢＳ＃１をｍＢＳ＃０に知らせる。
【００９７】
その後、移動端末１は、ｆＢＳ＃１に同期すると、ネットワークリエントリと呼ばれる登録手順を開始し（Ｓ１０）、ｆＢＳ＃１との間でネットワークリエントリ手順を実施する（Ｓ１１）。ネットワークリエントリが終了すると、移動端末１は、ｆＢＳ＃１を新規のＳＢＳとして通信を再開する。なお、決定隣接ＢＳ情報テーブル２９に登録されたｆＢＳ＃１のＤＣＤ情報及びＵＣＤ情報は、ハンドオーバ手順に際して利用される。
【００９８】
なお、上記動作例は、ＳＢＳがｍＢＳである場合について説明したが、ＳＢＳがｆＢＳである場合にも、上記と同様の動作が行われる。
【００９９】
＜実施形態の作用効果＞
上述した実施形態によると、移動端末１の第１のテーブルであるデフォルト隣接ＢＳ情報テーブル２８に対し、初期設定部２６によって移動端末１が利用可能なｆＢＳの情報がｆＢＳの位置を示す位置条件とともに登録される。
【０１００】
一方、隣接ＢＳ情報受信部２３によって、ＳＢＳに対する隣接ＢＳの情報が第２のテーブルである隣接ＢＳ情報テーブル２７に登録される。さらに、位置情報取得部２４が、受信部として、ＳＢＳの位置情報を取得する。
【０１０１】
すると、検出対象決定部２５が、検出部として、ＳＢＳの位置情報とデフォルト隣接ＢＳ情報テーブル２８の位置条件とを対比し、位置条件が満たされるｆＢＳの情報が、隣接ＢＳ情報テーブル２７のｍＢＳの情報とともに、第３のテーブルである決定隣接ＢＳ情報テーブル２９に登録される。すなわち、ｆＢＳ＃１が基地局検出処理であるスキャン処理の対象に含められ、決定隣接ＢＳ情報テーブル２９に登録されたｍＢＳ及びｆＢＳが、ＳＢＳからのハンドオーバ時における、スキャン対象ＢＳとして決定される。その後、ＳＢＳの電波強度が低下し、ｆＢＳの電波強度がハンドオーバのトリガ条件を満たすと、ＳＢ
ＳからＴＢＳであるｆＢＳへのハンドオーバが実施される。
【０１０２】
これに対し、位置情報が位置条件を満たさない場合には、決定隣接ＢＳ情報テーブル２９へのｆＢＳの情報登録は行われず、ｆＢＳはスキャン処理の対象とはならないので、ｆＢＳのスキャン処理が規制されることになる。
【０１０３】
このように、実施形態では、各ｍＢＳから広告される隣接ＢＳ広告メッセージにｆＢＳの情報が含まれない。このため、或るｍＢＳに多数のｆＢＳが隣接する一方で、当該或るｍＢＳの隣接ＢＳ広告メッセージに、全ての隣接ｆＢＳの情報を載せることができない状況が発生するのを抑えることができる。また、隣接ｆＢＳの情報が広告されるのを回避することで、ネットワーク帯域を有効に利用することが可能となる。
【０１０４】
一方で、ＳＢＳに隣接するｆＢＳの存在は、ＳＢＳからの位置情報がデフォルト隣接ＢＳ情報テーブル２８に登録された位置条件を満たすことによって検出される。これによって、ｍＢＳがｆＢＳの情報を広告しなくても、移動端末１は、ＳＢＳに隣接するｆＢＳをスキャン対象に含めることができ、移動端末１の移動状況に応じて移動端末１が利用可能なｆＢＳをＴＢＳとして決定することができる。
【０１０５】
さらに、ｍＢＳがｆＢＳの情報を隣接ＢＳ情報として広告しないことによって、移動端末１が認識するＳＢＳの隣接ＢＳ中に、移動端末１が利用できないｆＢＳは含まれない。よって、移動端末１が、利用不可能なｆＢＳへのハンドオーバを試み、拒否されることがない。従って、シームレスなｍＢＳからｆＢＳへのハンドオーバを実施することができる。
【０１０６】
以上のように、実施形態における移動通信ネットワークシステムによれば、公衆基地局であるｍＢＳが、自局の情報が広告される第１の基地局群として規定され、局所基地局であるｆＢＳが、自局の情報が広告されない第２の基地局群として規定される。移動端末１は、移動端末１が利用可能な第２の基地局、すなわちｆＢＳの情報を、その第２の基地局（ｆＢＳ）がスキャン対象に含められる位置条件とともに保持し、ＳＢＳの位置情報が位置条件を満たす場合に、位置条件が満たされる第２の基地局がスキャン対象として検出される。
【０１０７】
これによって、上記したような問題を解決することができる。すなわち、基地局がエア（空間）に対して広告（ブロードキャスト）する隣接基地局情報を第１の基地局群に属する基地局に限定することができる。これによって、広告される隣接基地局の情報量を減らすことができる。従って、有限な帯域をユーザデータの送信に使用することができる、すなわち、帯域の有効利用を図ることができる。
【０１０８】
また、移動端末は、アクセスする必要がない局部基地局（フェムト基地局）の情報をブロードキャストメッセージにより受信することがなくなるため、エア帯域、移動端末が備えるメモリの浪費を防ぐことができる。また、移動端末がアクセスが許可されないフェムト基地局に対する無用なスキャンやハンドオーバを実施することを防止できる。これによって、省電力動作や、通信時間の長期化を図ることができる。
【０１０９】
なお、第２実施形態では、移動通信ネットワークシステム、すなわち無線通信システムとしてWiMAXシステムについて説明した。但し、第２実施形態で説明した構成は、公衆基
地局と局所基地局とが混在する他の無線通信システム、例えば、携帯電話ネットワークシステムや無線ＬＡＮシステムに対して適用可能である。
【０１１０】
＜その他＞
（付記１）  自局の情報が移動端末に対して広告される第１の基地局群と、自局の情報が移動端末に対して広告されない第２の基地局群とを備えた無線通信システムにおいて利用され、
前記第１の基地局群に属する各基地局に対してアクセス可能であるとともに、前記第２の基地局群については、特定の基地局へのアクセスが許容され、前記特定の基地局以外の基地局に対するアクセスが許容されない移動端末であって、
位置情報を受信する受信部と、
受信された位置情報が、前記特定の基地局に対応づけられた位置情報である場合には、前記第１の基地局群及び第２の基地局群についての基地局検出処理を実行し、前記位置情報が前記特定の基地局に対応づけられた位置情報でない場合には、前記第１の基地局群に対する基地局検出処理を実行する一方で前記第２の基地局群に対する基地局検出処理を規制する検出部と、
を含む移動端末。（１）
【０１１１】
（付記２）  前記位置情報は、現在接続中の前記第１又は第２の基地局群に属する基地局から取得される前記移動端末の位置情報を含む
付記１に記載の移動端末。（２）
【０１１２】
（付記３）  前記位置情報は、現在接続中の前記第１又は第２の基地局群に属する基地局から取得される他の基地局の位置情報を含む
付記１に記載の移動端末。（３）
【０１１３】
（付記４）  前記位置情報は、ＧＰＳ衛星から取得される前記移動端末の位置情報を含む
付記１に記載の移動端末。（４）
【０１１４】
（付記５）  自局の情報が移動端末に対して広告される第１の基地局群と、自局の情報が移動端末に対して広告されない第２の基地局群とを備えた無線通信システムにおいて利用され、前記第１の基地局群に属する各基地局へのアクセスが許容される一方、前記第２の基地局群については当該第２の基地局群に属する特定の基地局へのアクセスが許容され当該特定の基地局以外の基地局へアクセスが許容されない移動端末が、
位置情報を受信し、
受信された位置情報が、前記移動端末のアクセスが許容される前記第２の基地局群中の特定の基地局に対応する場合には、前記第１の基地局群及び前記第２の基地局群についての基地局検出処理を実行し、前記位置情報が前記特定の基地局に対応しない場合には、前記第１の基地局群についての基地局検出処理を実行する一方で前記第２の基地局群についての基地局検出処理を規制する
移動端末の基地局検出方法。（５）
【０１１５】
（付記６）  前記位置情報は、現在接続中の前記第１又は第２の基地局群に属する基地局から取得される前記移動端末の位置情報を含む
付記５に記載の移動端末の基地局検出方法。
【０１１６】
（付記７）  前記位置情報は、現在接続中の前記第１又は第２の基地局群に属する基地局から取得される他の基地局の位置情報を含む
付記５に記載の移動端末の基地局検出方法。
【０１１７】
（付記８）  前記位置情報は、ＧＰＳ衛星から取得される移動端末の位置情報を含む
付記５に記載の移動端末の基地局検出方法。
【０１１８】
（付記９）  自局の情報が移動端末に対して広告される第１の基地局群と、
自局の情報が移動端末に対して広告されない第２の基地局群と、
前記第１の基地局群に属する各基地局へのアクセスが許容される一方、前記第２の基地局群については、当該第２の基地局群に属する特定の基地局へのアクセスが許容され、特定の基地局以外の基地局へのアクセスが許容されない移動端末とを含み、
前記移動端末は、位置情報を受信する受信部と、受信された位置情報が前記移動端末のアクセスが許容される前記第２の基地局群中の特定の基地局に対応する場合には、前記第１の基地局群及び前記第２の基地局群についての基地局検出処理を実行し、前記位置情報が前記特定の基地局に対応しない場合には、前記第１の基地局群についての基地局検出処理を実行する一方で前記第２の基地局群についての基地局検出処理を規制する検出部とを含む
無線通信システム。
【符号の説明】
【０１１９】
ｍＢＳ・・・公衆基地局
ｆＢＳ・・・局所基地局
１・・・移動端末（ＭＳ）
１０・・・基地局
１１・・・エア区間送受信処理部
１２・・・通信制御部
１３・・・バックボーン受信部
１４・・・隣接ＢＳ情報テーブル
１５・・・隣接ＢＳ情報広告処理部
２０・・・移動端末
２１・・・エア区間送受信処理部
２２・・・通信制御部
２３・・・隣接ＢＳ情報受信部
２４・・・位置情報取得部
２５・・・検出対象決定部
２６・・・初期設定部
２７・・・隣接ＢＳ情報テーブル
２８・・・デフォルト隣接ＢＳ情報テーブル
２９・・・決定隣接ＢＳ情報テーブル
３１・・・コンソール
３２・・・ＧＰＳ受信機
【図１】
2011061370.tif 000003
【図２】
2011061370.tif 000004
【図３】
2011061370.tif 000005
【図４】
2011061370.tif 000006
【図５】
2011061370.tif 000007
【図６】
2011061370.tif 000008
【図７】
2011061370.tif 000009
【図８】
2011061370.tif 000010